(57)【特許請求の範囲】
【請求項１】
洗滌槽内に溜めた洗滌液や消毒液に内視鏡を浸漬して内視鏡を自動的に洗滌・消毒する内視鏡洗滌消毒装置において、
前記内視鏡に付されたこの内視鏡の種類、製造年月日、出荷時期、検査回数、検査年月日および検査終了時間のうちの少なくともいずれかのデータを認識する認識手段と、
前記認識手段による認識結果に基づき、前記内視鏡の種類に応じて前記内視鏡の洗滌消毒に必要な各工程の時間を設定すると共に、前記認識手段に基づき前記内視鏡の使用回数、検査終了から洗滌消毒までの経過時間を認識しこの認識結果に基づき前記各工程の時間を設定する設定手段と、
を具備したことを特徴とする内視鏡洗滌消毒装置。
【発明の詳細な説明】
【０００１】
【発明の属する技術分野】
本発明は、内視鏡を洗滌・消毒するための内視鏡洗滌消毒装置に関する。
【０００２】
【従来の技術】
従来から、内視鏡は体腔内の検査および治療に広く利用されており、その内部には送気、送水、吸引等を行なうための各種の管路が組み込まれている。そして、感染等を防止するため、内視鏡は、使用する毎に、その外表面および内部管路を洗滌消毒する必要がある。
【０００３】
ところで、内視鏡には、胃用内視鏡、十二指腸用内視鏡、大腸用内視鏡、気管支用内視鏡など多種類で、胃用内視鏡は、特殊な管路がなく、また管路も短く適度な細さであり、最低限の洗滌、除水で十分である。十二指腸用内視鏡は管路が極めて細く、洗滌時間が長く必要な鉗子起上パイプがあり、また水抜き時にも、管路は専用に高圧で送気する必要がある。
【０００４】
また、大腸用内視鏡は、挿入部が長く、管路も太く洗滌、除水を念入りに行う必要がある。さらに、気管支用内視鏡は、管路が細く、洗滌、除水は容易であり、短時間の洗滌でよいが、気管支で付着する結核菌は耐性が強く、長時間の消毒が必要である。
【０００５】
このように内視鏡は、種類によって構造が全く異なるため、同一条件の洗滌、消毒では洗滌消毒不足が生じたり、あるいは過剰洗滌消毒によって内視鏡に影響を与え、また不経済である。
【０００６】
従来、こうした内視鏡の洗滌消毒に使用される内視鏡洗滌消毒装置としては、例えば特開平４−１７８３５号公報に示されるものがある。この内視鏡洗滌消毒装置は、その洗滌槽に複数本の内視鏡を保持する保持部が設けられ、各保持部には検出スイッチが設けられている。そして、洗滌しようとする内視鏡を洗滌槽内の保持部にセットすると、検出スイッチがオンとなり、セットされた内視鏡の本数とその内視鏡の挿入部の太さ等により内視鏡の種類が検知され、内視鏡の本数及び種類に応じて洗滌、消毒、すすぎ及び除水の各工程の時間が設定されるようになっている。
【０００７】
【発明が解決しようとする課題】
しかしながら、前記特開平４−１７８３５号公報のものは、洗浄槽にセットされた内視鏡の本数で洗滌消毒条件を設定したり、内視鏡の太さによって内視鏡の種類を検知して洗滌消毒条件を設定するものであり、胃用内視鏡、十二指腸用内視鏡、大腸用内視鏡、気管支用内視鏡などの種類が検知できても、内視鏡は次々新しい製品が開発され、内視鏡の太さ、形状、構造が変わるため、内視鏡の種類を正確に検知することが難しい。
【０００８】
本発明は前記事情に着目してなされたものであり、その目的とするところは、内視鏡の種類、製造年月日、出荷時期等のデータを内視鏡に付し、そのデータを認識して当該内視鏡に応じた条件で洗滌消毒することができる内視鏡洗滌消毒装置を提供することにある。
【０００９】
【課題を解決するための手段】
本発明は、前記課題を解決するために、洗滌槽内に溜めた洗滌液や消毒液に内視鏡を浸漬して内視鏡を自動的に洗滌・消毒する内視鏡洗滌消毒装置において、前記内視鏡に付されたこの内視鏡の種類、製造年月日、出荷時期、検査回数、検査年月日および検査終了時間のうちの少なくともいずれかのデータを認識する認識手段と、前記認識手段による認識結果に基づき、前記内視鏡の種類に応じて前記内視鏡の洗滌消毒に必要な各工程の時間を設定すると共に、前記認識手段に基づき前記内視鏡の使用回数、検査終了から洗滌消毒までの経過時間を認識しこの認識結果に基づき前記各工程の時間を設定する設定手段とを具備したことを特徴とする。
【００１０】
内視鏡の種類、製造年月日、出荷時期等のデータを内視鏡に付し、このデータを洗滌消毒装置が認識して当該内視鏡の洗滌消毒条件を設定することにより、内視鏡に応じて的確な洗滌消毒ができる。
【００１１】
【発明の実施の形態】
以下、図面を参照しつつ本発明の各実施形態について説明する。
図１〜図３は第１の実施形態を示し、図１は内視鏡装置と洗滌消毒装置の概略構成を示し、図２はブロック図である。図１に示すように、内視鏡１は、操作部２と、挿入部３及びユニバーサルコード４とからなり、挿入部２の先端部には先端構成部５が設けられ、この先端構成部５の内部にはＣＣＤ等の固体撮像素子（図示しない）が内蔵されている。前記操作部２及び挿入部３にはライトガイドケーブル（図示しない）が内挿され、このライトガイドケーブルの一端側は先端構成部５の照明光学系に、他端側はユニバーサルコード４を介してコネクタ６に接続されている。
【００１２】
そして、前記コネクタ６は周辺機器の光源装置７に着脱可能に接続されているとともに、コネクタ６は信号ケーブル８を介してビデオプロセッサ９に接続されている。ビデオプロセッサ９からの映像信号は電気ケーブル１０を介して観察用モニタ１１に供給され、内視鏡画像として表示されるようになっている。
【００１３】
信号ケーブル８は一端には第１のコネクタ１２が設けられ、他端には第２のコネクタ１３が設けられている。内視鏡１とビデオプロセッサ９と信号の授受が行われるようになっている。
【００１４】
また、図中１５は内視鏡洗滌消毒装置である。内視鏡１は検査終了後、感染等を防止するため、使用する毎に、その外表面および内部管路を洗滌消毒する必要がある。内視鏡洗滌消毒装置１５の本体１６には洗滌槽１７を有しており、洗滌槽１７の内部に内視鏡１をセットして洗滌消毒することができるようになっている。すなわち、使用後の内視鏡１を洗滌槽１７にセットし、各種操作スイッチの操作によって制御部１４からの指令に基づいて洗滌、消毒、すすぎ、送気の各工程が自動的に行なわれる。
【００１５】
また、前記内視鏡１のコネクタ６にはＩＣメモリ１８が内蔵されており、このＩＣメモリ１８はコネクタ６の外部に突出して設けられた接続端子１９と電気的に接続されている。さらに、前記内視鏡洗滌消毒装置１５の本体１６の一部には内視鏡洗滌消毒装置１５の制御部１４と電気的に接続された接続部２０が設けられ、この接続部２０には接続端子２１が設けられている。
【００１６】
そして、コネクタ６の接続端子１９には信号ケーブル８の第１のコネクタ１２が着脱可能であり、装置本体１６の接続端子２１には第２のコネクタ１３が着脱可能であり、内視鏡１と装置本体１６の制御部１４との間で信号の授受が行えるようになっている。
【００１７】
前記ＩＣメモリ１８には、図３に示すように、パソコンＰと信号ケーブル８の第２のコネクタ１３とを接続するとともに、第１のコネクタ１２を内視鏡１のコネクタ６とを接続し、当該内視鏡１の種類、例えば、胃用内視鏡、十二指腸用内視鏡、大腸用内視鏡、気管支用内視鏡の種類、当該内視鏡１の製造年月日、出荷時期等が入力され、メモリされている。
【００１８】
また、図１（ａ）に示すように、内視鏡１を用いて検査を行った場合には、ビデオプロセッサ９から信号ケーブル８を介してＩＣメモリ１８に、通算検査回数、検査年月日及び検査時間等のデータがメモリされるようになっている。
【００１９】
したがって、内視鏡検査後、当該内視鏡１を洗滌する際には、まず、図１（ｂ）に示すように、信号ケーブル８の第１のコネクタ１２を内視鏡１のコネクタ６の接続端子１９に接続し、第２のコネクタ１３を装置本体１６の接続端子２１に接続すると、当該内視鏡１のＩＣメモリ１８にメモリされているデータが装置本体１５の制御部１４に伝送される。すなわち、信号ケーブル８を接続するだけで、内視鏡１の種類、当該内視鏡１の製造年月日、出荷時期、検査回数、検査年月日及び検査時間等のデータが入力されるため、装置本体１６は内視鏡１の種類に応じた洗滌消毒及び除水等の時間を設定し、また当該内視鏡１の使用回数、検査終了後から洗滌消毒までの経過時間等が認識でき、その認識結果に基づいて洗滌消毒条件を設定することができる。
ここで、内視鏡１の種類に応じた洗滌、消毒及び除水の時間を示すと、例えば、表１のとおりである。
【００２０】
【表１】
0003647254.tif 000002
【００２１】
なお、表１は内視鏡１の種類に応じた洗滌、消毒及び除水の時間を示したが、内視鏡１は検査回数が多くなればなる程、挿入部３等に傷が付き、汚れが付着しやすく、汚れも落ちにくい。また、新しい内視鏡１であっても、検査終了後から洗滌まで長時間放置された場合には汚れがこびりつき、汚れが落ちにくいため、ＩＣメモリ１８にメモリされているデータによって洗滌時間、消毒時間の設定を行うことができる。
【００２２】
次に、第１の実施形態の作用について説明する。
内視鏡検査においては、図１（ａ）および図２に示すように、内視鏡１のユニバーサルコード４のコネクタ６を光源装置７に接続し、コネクタ６とビデオプロセッサ９とを信号ケーブル８によって接続する。さらに、ビデオプロセッサ９を電気ケーブル１０を介して観察用モニタ１１とを接続して内視鏡検査を行うと、ＩＣメモリ１８にはインタフェースＩ／Ｆを介してビデオプロセッサ９から検査年月日とともに通算使用回数、検査時刻及び検査終了すると、検査終了時刻が入力される。なお、ＩＣメモリ１８には出荷時に内視鏡１の種類、製造年月日、出荷時期、シリアルナンバー等が予めメモリされている。
【００２３】
内視鏡検査終了後、内視鏡１のコネクタ６を光源装置７から抜取るとともに、信号ケーブル８の第２のコネクタ１３をビデオプロセッサ９から抜取る。そして、この内視鏡１を内視鏡洗滌消毒装置１５の洗滌槽１７にセットする前に、図１（ｂ）及び図２に示すように、信号ケーブル８の第２のコネクタ１３を装置本体１６の接続端子１７に接続すると、内視鏡１のＩＣメモリ１８にメモリされているデータがインタフェースＩ／Ｆを介して装置本体１６の制御部１４に入力される。
【００２４】
すなわち、内視鏡洗滌消毒装置１５の制御部１４には内視鏡１の種類、当該内視鏡１の製造年月日、出荷時期、検査回数、検査年月日及び検査終了時間等のデータが入力されるため、装置本体１６は内視鏡１の種類に応じた洗滌消毒及び除水等の時間を設定し、また当該内視鏡１の使用回数、検査終了後から洗滌消毒までの経過時間等を認識し、その認識結果に基づいて洗滌消毒条件を自動的に設定し、その設定条件にしたがって内視鏡１の洗滌消毒及び除水工程を行うことができる。
【００２５】
このように、内視鏡１の種類、使用回数、検査後から洗滌までの経過時間等のデータに基づいて洗滌消毒及び除水時間等の条件を設定することにより、洗滌不足、過剰洗滌による内視鏡１への悪影響を防止でき、個々に異なる内視鏡１に適応した洗滌消毒ができる。なお、洗滌消毒時間の設定とともに、洗滌液の液温設定、洗剤の量や洗剤の種類あるいは消毒液を変更するようにしてもよい。
【００２６】
図４及び図５は、第２の実施形態を示し、第１の実施形態と同一構成部分は同一番号を付して説明を省略する。本実施形態は、図４（ａ）に示すように、第１の実施形態のＩＣメモリ１８に代わって内視鏡１のコネクタ６にバーコード２２を貼り付け、信号ケーブル２３にバーコードリーダ２３ａを設けたものである。バーコード２２には出荷時に内視鏡１の種類、製造年月日、出荷時期、シリアルナンバー等が予め記録されている。
【００２７】
内視鏡検査終了後、内視鏡１を内視鏡洗滌消毒装置１５の洗滌槽１７にセットする前に、図４（ｂ）に示すように、信号ケーブル２３のコネクタ２３ｂを装置本体１６の接続端子１７に接続し、バーコードリーダ２３ａによってコネクタ６に貼り付けられたバーコード２２を読み取ると、バーコード２２に記録されているデータがＩ／Ｆを介して装置本体１６の制御部１４に入力される。
【００２８】
すなわち、内視鏡洗滌消毒装置１５の制御部１４には内視鏡１の種類、当該内視鏡１の製造年月日、出荷時期等のデータが入力されるため、装置本体１６は内視鏡１の種類に応じた洗滌消毒及び除水等の時間を設定し、また当該内視鏡１の製造年月日からの経過日数等を認識し、その認識結果に基づいて洗滌消毒条件を自動的に設定し、その設定条件にしたがって内視鏡１の洗滌消毒及び除水工程を行うことができる。
【００２９】
このように、内視鏡１の種類、製造年月日からの経過日数等のデータに基づいて洗滌消毒及び除水時間等の条件を設定することにより、洗滌不足、過剰洗滌による内視鏡１への悪影響を防止でき、個々に異なる内視鏡１に適応した洗滌消毒ができる。なお、洗滌消毒時間の設定とともに、洗滌液の液温設定、洗剤の量や洗剤の種類あるいは消毒液を変更してもよい。
【００３０】
図６は第３の実施形態を示す。内視鏡には、胃用内視鏡２４、十二指腸用内視鏡２５、大腸用内視鏡２６、気管支用内視鏡２７などの種類があり、内部管路の配置構造、口金２４ａ，２５ａ，２６ａ，２７ａの個数も異なるため、内視鏡の種類によって専用の管路洗滌チューブ２８を内部管路に連通する口金２４ａ，２５ａ，２６ａ，２７ａに間違いなく接続する必要がある。
【００３１】
そこで、本実施形態においては、第１または第２の実施形態に加え、内視鏡洗滌消毒装置１５の装置本体１６に表示部２９を設け、この表示部２９に胃用内視鏡２４、十二指腸用内視鏡２５、大腸用内視鏡２６、気管支用内視鏡２７の画像とともに管路洗滌チューブ２８の画像を表示し、内視鏡の洗滌消毒前に口金２４ａ，２５ａ，２６ａ，２７ａに対して管路洗滌チューブ２９が間違いなく接続され、管路の洗滌忘れを未然に防止するようにしたものである。
【００３２】
前述した実施形態によれば、次のような構成が得られる。
（付記１）洗滌槽内に溜めた洗滌液や消毒液に内視鏡を浸漬して内視鏡を自動的に洗滌・消毒する内視鏡洗滌消毒装置において、前記内視鏡に付されたデータを認識する認識手段と、前記認識手段により当該内視鏡の洗滌消毒条件を設定する設定手段とを具備したことを特徴とする内視鏡洗滌消毒装置。
【００３３】
（付記２）前記データは、少なくとも内視鏡の種類、内視鏡の製造年月日であることを特徴とする付記１記載の内視鏡洗滌消毒装置。
（付記３）前記データは、内視鏡の種類、内視鏡の製造年月日、出荷時期、検査回数、検査年月日及び検査終了時間であることを特徴とする付記１記載の内視鏡洗滌消毒装置。
【００３４】
（付記４）前記データは、内視鏡のコネクタに内蔵されたＩＣメモリにメモリされることを特徴とする付記１記載の内視鏡洗滌消毒装置。
（付記５）前記データは、内視鏡のコネクタに貼り付けられたバーコードに記録されていることを特徴とする付記１記載の内視鏡洗滌消毒装置。
【００３５】
（付記６）装置本体には、内視鏡の種類によって異なる管路洗滌チューブの接続方向を表示する表示部が設けられていることを特徴とする付記１記載の内視鏡洗滌消毒装置。
【００３６】
【発明の効果】
以上説明したように、本発明によれば、内視鏡の種類、製造年月日、出荷時期等のデータを内視鏡に付し、このデータを洗滌消毒装置が認識して当該内視鏡の洗滌消毒条件を設定することにより、内視鏡に応じて的確な洗滌消毒ができ、洗滌不足、過剰洗滌を未然に防止できるという効果がある。
【図面の簡単な説明】
【図１】本発明の第１の実施形態に係る内視鏡装置と洗滌消毒装置の斜視図。
【図２】同実施形態のブロック図。
【図３】同実施形態のＩＣメモリへのデータ入力状態を示す斜視図。
【図４】本発明の第２の実施形態を示す洗滌消毒装置の斜視図。
【図５】同実施形態のブロック図。
【図６】本発明の第３の実施形態に係る内視鏡洗滌消毒装置の構成図。
【符号の説明】
１…内視鏡
１４…制御部
１５…内視鏡洗滌消毒装置
１７…洗滌槽
１８…ＩＣメモリ
【図１】
0003647254.tif 000003
【図２】
0003647254.tif 000004
【図３】
0003647254.tif 000005
【図４】
0003647254.tif 000006
【図５】
0003647254.tif 000007
【図６】
0003647254.tif 000008